(57)【要約】      （修正有）【課題】高所作業現場等で作業する作業者が装着している保護帯における安全帯の固定支持箇所に対する掛止状態にある時間ログを解析し、その使用を促進させる保護帯装着状況管理システムを提供する。【解決手段】工事作業者が装着する保護帯１における安全帯３につき、安全帯３が固定支持箇所に掛止したことを検知するようフック４に設けたフック支持検知手段５と、不使用時の安全帯３をＤ環８に掛止したことを検知するＤ環掛止検知手段９とを設ける。また、固定支持箇所に対する掛止状態の有無により生成した時間ログ、Ｄ環８に対する掛止状態の有無により生成した時間ログそれぞれを記録する受信記録部１２と、記録された時間ログを非接触通信で読み取り、記録するリーダライター２０と、このリーダライター２０に記録された時間ログを保護帯使用者毎に区別し、記録して解析表示する管理者用パソコン２５とを備えて成る。【選択図】図１
0003194445.tif 000002
【実用新案登録請求の範囲】
【請求項１】
各種の工事に従事する工事作業者に装着される保護帯における安全帯に連繋されているフックに、このフックを介して安全帯が所定の固定支持箇所に掛止されたことを検知し、通知送信するよう設けられたフック支持検知手段と、不使用時の安全帯をフックによって一時的に保持させるよう保護帯に設けられているＤ環にフックが掛止されたことを検知するＤ環掛止検知手段と、フック支持検知手段によって送信された固定支持箇所に対する掛止状態の有無により生成した時間ログを受信して、またＤ環掛止検知手段によるＤ環に対する掛止状態の有無により生成した時間ログそれぞれを記録する受信記録部と、記録された時間ログを非接触通信で読み取り、記録するリーダライターと、このリーダライターに記録された時間ログを保護帯使用者毎に区別し、記録して解析表示する管理者用パソコンとを備えて成ることを特徴とする保護帯装着状況管理システム。
【請求項２】
フック支持検知手段は、フックが固定支持箇所に掛止したことを検知する検知スイッチと、この検知スイッチによる掛止状態の有無を受信し、受信記録部に送信するフック送信器とから成る請求項１に記載の保護帯装着状況管理システム。
【請求項３】
フックは金属製とし、Ｄ環はコイル状に形成された近接センサーから成るＤ環掛止検知手段を埋め込んでなる合成樹脂材製として成る請求項１または２に記載の保護帯装着状況管理システム。
【請求項４】
受信記録部は、Ｄ環の近傍に設けてあって、Ｄ環掛止検知手段に交流電流を発振するアンプ回路と、Ｄ環に掛止するフックの有無によって変化したインダクタンスの変化量をＤ環掛止状態の有無として生成した時間ログ、固定支持箇所に対する掛止状態の有無により生成して受信した時間ログそれぞれを記録する記録器と、この記録器におけるそれぞれの時間ログを非接触通信で送信させるようにした記録送信器とを備える請求項１乃至３のいずれかに記載の保護帯装着状況管理システム。
【考案の詳細な説明】
【技術分野】
【０００１】
この考案は、主として建築工事現場における工事作業従事者等が、特に高所作業現場で作業者自身に装着されている保護帯における安全帯が足場その他に掛止される等で使用されているか否かを遠隔地、例えば工事作業管理事務所等で確認でき、その使用を促進させることで工事を安全に遂行できるように保護帯における安全帯の使用状況を管理可能にした保護帯装着状況管理システムに関する。
【背景技術】
【０００２】
従来から、例えば建築工事現場における高所の作業現場では、工事作業従事者等の転落、落下その他を防止するため、作業者自身が装着した保護帯を例えば構築された足場、躯体に固着してあるアンカーその他の固定支持箇所に掛止することが義務づけられている。この保護帯は、概ね、作業者自身の身体に巻回装着される保護帯本体と、安全柵等の固定支持箇所に掛止する開閉自在となっているリング状のフックを先端に有する安全帯とを備えて成る。
【０００３】
このような保護帯によって固定支持箇所に作業者自身を掛止できるから、例えば作業者が足場を踏み外すことがあっても、固定支持箇所によって拘束されるから作業場所から落下せず、安全に作業を遂行できる。ただ、その反面、実施する作業内容によっては作業現場等で移動しなければならない場合もあると、その移動の度に固定支持箇所を変更すべく、フックの取り外し、掛止等を繰り返さなければならず、それが面倒であるために、安全帯による掛止を作業者自身の判断によって一時的にでも中止してしまうことがある。その間に落下その他の事故等が生じると、作業者本人の傷害等はもとよりその現場管理責任者の管理・監督責任が問われることにもなる。
【０００４】
こうした点から、例えば特許文献１による取付確認センサが提案されており、これは、保護帯本体に設けられているフックと、保護帯本体を例えば電柱等の固定支持箇所に巻回した状態のフックを掛止するＤ環との間での掛止状態を確認する取付確認センサを備えたものとする。
【先行技術文献】
【特許文献】
【０００５】
【特許文献１】特開２００７−４４１６６号公報
【考案の概要】
【考案が解決しようとする課題】
【０００６】
ところが、この特許文献１による取付確認センサの構成によると、保護帯本体自体を電柱等に巻回させた状態でフックとＤ環との間での掛止状態を確認できるとしても、例えばこの保護帯本体を作業現場における他の足場での保護柵等に掛止することで各種の作業を実施する場合には、フックとＤ環とは掛止されずに離反状態となる。すなわち、この特許文献１による取付確認センサの構成では、保護帯をフックによって保護柵等の他の固定支持箇所に掛止することで安全対策としている場合には、その使用状況を把握できず、しかも例えばその使用時間・時刻等による使用頻度その他を確認することは困難であった。
【０００７】
そこでこの考案は上述したような従来存した諸事情に鑑み案出されたもので、その目的は、特に高所における各種の工事作業者が作業者自身の身体に装着させている保護帯における安全帯が固定支持箇所等にフックによって掛止されて身体が拘束されている使用状態の時間、フックがＤ環に掛止されている安全帯の不使用時間らの各種データを収集し、これらをを確認、検討することで、保護帯の使用者に対する安全帯使用率の向上その他の指導・管理に役立て、高所からの転落、落下等による事故を軽減できるようにする保護帯装着状況管理システムを提供することにある。
【課題を解決するための手段】
【０００８】
上述した課題を解決するため、この考案にあっては、後述する考案を実施するための形態における使用符号を付記して説明すると、各種の工事に従事する工事作業者に装着される保護帯１における安全帯３に連繋されているフック４に、このフック４を介して安全帯３が所定の固定支持箇所Ｐに掛止されたことを検知し、通知送信するよう設けられたフック支持検知手段５と、不使用時の安全帯３をフック４によって一時的に保持させるよう保護帯１に設けられているＤ環８にフック４が掛止されたことを検知するＤ環掛止検知手段９と、フック支持検知手段５によって送信された固定支持箇所Ｐに対する掛止状態の有無により生成した時間ログを受信して、またＤ環掛止検知手段９によるＤ環８に対する掛止状態の有無により生成した時間ログそれぞれを記録する受信記録部１２と、記録された時間ログを非接触通信で読み取り、記録するリーダライター２０と、このリーダライター２０に記録された時間ログを保護帯使用者毎に区別し、記録して解析表示する管理者用パソコン２５とを備えて成ることを特徴とする。
フック支持検知手段５は、フック４が固定支持箇所Ｐに掛止したことを検知する検知スイッチ６と、この検知スイッチ６による掛止状態の有無を受信し、受信記録部１２に送信するフック送信器７とから構成することができる。
フック４は金属製とし、Ｄ環８はコイル状に形成された近接センサーから成るＤ環掛止検知手段９を埋め込んでなる合成樹脂材製として構成することができる。
受信記録部１２は、Ｄ環８の近傍に設けてあって、Ｄ環掛止検知手段９に交流電流を発振するアンプ回路１３と、Ｄ環８に掛止するフック４の有無によって変化したインダクタンスの変化量をＤ環掛止状態の有無として生成した時間ログ、固定支持箇所Ｐに対する掛止状態の有無により生成して受信した時間ログそれぞれを記録する記録器１４と、この記録器１４におけるそれぞれの時間ログを非接触通信で送信させるようにした記録送信器１５とを備える。
【０００９】
以上のように構成されたこの考案に係る保護帯装着状況管理システムにあって、各種工事に従事する工事作業者においての転落、落下その他を防止する保護帯１を作業者に装着させることで、Ｄ環８から外されて所定の固定支持箇所Ｐに掛止されていることで身体を拘束している安全帯３の使用時である使用状態と、安全帯３の不使用時であるフック４がＤ環８に掛止されている状態との時間ログを管理者において把握させる。
フック４におけるフック支持検知手段５は、フック４が固定支持箇所Ｐに対して掛止状態にあるか否かを検知スイッチ６にて検知し、フック送信器７にて受信記録部１２に送信させ、フック４による掛止状態の有無の時間ログを記録させる。
アンプ回路１３、記録器１４、記録送信器１５を備えた受信記録部１２は、Ｄ環８に設けてあるコイル状の近接センサー１１から成るＤ環掛止検知手段９によるフック４のＤ環８への掛止あるいは非掛止状態を検知し、その時間ログを記録し、フック支持検知手段５による固定支持箇所Ｐに対するフック４の掛止状態の時間ログをも記録する。
受信記録部１２におけるフック４によるＤ環８とのあるいは固定支持箇所Ｐに対する掛止状態の有無として記録された時間ログは、リーダライター２０によって保護帯１の使用者毎の記録内容が非接触で通信、記録される。
管理者用パソコン２５においては、保護帯１の使用者毎の安全帯３の使用状況である固定支持箇所Ｐに対する掛止の使用状態、Ｄ環８に対する掛止の不使用状態の時間ログを解析表示させ、これによって安全帯３の使用率の向上を図るように工事作業者等に対して指導させるのに役立たせる。
【考案の効果】
【００１０】
この考案は以上説明したように構成されているため、特に高所における各種の工事作業者が作業者自身の身体に装着させている保護帯１における安全帯３が固定支持箇所Ｐ等に掛止されている使用状態、あるいは安全帯３の不使用時でのフック４がＤ環８に掛止状態であることの時間を管理者において使用者毎に保護帯１の使用状況を管理、確認することで、保護帯１の使用者に対する安全帯３の使用率の向上その他の指導に役立てることができ、高所作業場所からの転落、落下等による事故を軽減することを可能とする。
【００１１】
すなわちこれはこの考案において、保護帯１における安全帯３に連繋されているフック４に、安全帯３が所定の固定支持箇所Ｐに掛止されたことを検知し、通知送信するよう設けたフック支持検知手段５と、不使用時の安全帯３を保持させるよう保護帯１に設けられているＤ環８に掛止されたことを検知するＤ環掛止検知手段９と、固定支持箇所Ｐに対する掛止状態の有無で生成した時間ログ、Ｄ環８に対する掛止状態の有無で生成した時間ログそれぞれを記録する受信記録部１２と、記録された時間ログを非接触通信で読み取り、記録するリーダライター２０と、このリーダライター２０に記録された時間ログを保護帯使用者毎に区別し、記録して解析表示する管理者用パソコン２５とを備えて成るからである。これによって、保護帯１を使用している作業者毎の安全帯３の使用時間を解析することで、その使用を促進させるように指導でき、転落、落下等の事故等を未然に防止するのに役立つ。
【００１２】
また、フック支持検知手段５は、フック４が固定支持箇所Ｐに掛止したことを検知する検知スイッチ６と、この検知スイッチ６による掛止状態の有無を受信し、受信記録部１２に送信するフック送信器７とから成るから、安全帯３自体が工事作業現場における固定支持箇所Ｐ、例えば現場におけるパイプ、ワイヤー、ロープ、木その他の固定物に対して掛止されていることを確実に検知でき、その掛止状態をフック送信器７によって受信記録部１２に送信し、その時間ログを記録させることができる。
【００１３】
フック４は金属製としてあるから、既存のこの種の保護帯１をそのまま利用でき、またＤ環８自体は、コイル状に形成された近接センサー１１から成るＤ環掛止検知手段９を埋め込んでなる合成樹脂材製として構成できるから、近接センサー１１の精度によってＤ環８に対する掛止状態、非掛止状態を確実に検知し、受信記録部１２にその時間ログを記録しておくことができる。
【００１４】
リーダライター２０は、受信記録部１２に記録されている使用者毎の安全帯３の掛止状態、非掛止状態の時間ログを受信記録部１２から非接触通信で確実に読み取り、いわゆる吸い上げることができ、管理者用パソコン２５にこれらの時間ログの記録を移し替え、転送できる。
【００１５】
管理者用パソコン２５における保護帯１における安全帯３の使用者毎の固定支持箇所Ｐに対しての掛止である使用状態あるいはＤ環８に掛止された非使用状態にあることの時間ログの検討によって、使用者それぞれに対して適切に指導でき、保護帯１における安全帯３の使用率を向上させるのに役立つ。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示すシステム概要図である。
【図２】同じく固定支持箇所に掛止した安全帯の使用状態時におけるフックの側面図である。
【図３】同じくＤ環に一時的に掛止するときの安全帯の非使用状態時における斜視図である。
【図４】同じく安全帯の使用状況の一例を示す管理データの説明図である。
【考案を実施するための形態】
【００１８】
以下、図面を参照してこの考案を実施するための一形態を説明すると、図において示される符号１は例えば高所における各種の工事に従事する工事作業者に装着される保護帯である。この保護帯１は、例えば作業者の腰部等に巻回装着されるようにした腰ベルト構造、上半身に被装されることで装着されるようにしたベスト構造等の保護帯本体２と、この保護帯本体２に一体状に連繋されて命綱となる索条状の安全帯３と、この安全帯３の先端に連繋されることで設けた閉鎖傾向に付勢されている開閉自在なフック４と、このフック４が掛止されることで保護帯本体２に不使用時等の安全帯３を一時的に保持するＤ環８とを備えて成る。
【００１９】
フック４には、図２に示すように、安全帯３がこのフック４を介して、作業現場における固定支持箇所Ｐ、例えば現場において固定されているパイプ、ワイヤー、ロープ、木その他の固定物に掛止されたときの掛止状態にあることを検知する検知スイッチ６と、この検知スイッチ６による掛止状態の有無を受信し、後述する受信記録部１２に送信するフック送信器７とから成るフック支持検知手段５が設けられている。
【００２０】
このフック支持検知手段５における検知スイッチ６は、押圧スイッチ構造で、フック４における例えば開閉部分の内側面に設けられていて、例えば固定支持箇所Ｐにフック４が掛止されたときに開閉部分が固定支持箇所Ｐに当接したり、固定物に衝接したりする等で没入する例えばアクチュエータを備えている。また、フック送信器７は、フック４が固定支持箇所Ｐに掛止状態にあるときに、検知スイッチ６からの有線あるいは無線（非接触通信手段）を介してその状態を受信し、更に有線あるいは無線を介して受信記録部１２にて、使用状態である開始時、終了時等の時間ログとして生成されることで、これが適宜に記録されるようにしてある。
【００２１】
また、図３に示すように、保護帯１におけるフック４、Ｄ環８には、フック４がＤ環８に掛止しているときに、これを検知するＤ環掛止検知手段９が設けられている。このＤ環掛止検知手段９は、金属製のフック４を電磁誘導方式で金属検知する近接センサーから成り、合成樹脂材製のＤ環８に設けることで、フック４のＤ環８に対する掛止の有無を検知するものとしてある。近接センサーであるＤ環掛止検知手段９はコイル状に形成されてＤ環８内に適宜に埋め込まれており、後述の受信記録部１２におけるアンプ回路１３にて発振した交流電流をアンプに流し、金属であるフック４が近づいたときのインダクタンス変化を検出することで、フック４のＤ環８に対する掛止状態あるいは非掛止状態にあることを検知するようになっている。
【００２２】
尚、近接センサーのコイル形状、取付構造はフック４の存否を検出するに好適なものとして選択され、アンプ回路１３における回路構成、発振周波数、電流値はフック４とＤ環８との近接を検知できる最適なインダクタンスとなるものとして設定されている。
【００２３】
受信記録部１２は、Ｄ環８の近傍である例えば保護帯１に設けてあり、Ｄ環掛止検知手段９に交流電流を発振するアンプ回路１３と、Ｄ環８に掛止するフック４の有無によって変化したインダクタンスの変化量をＤ環掛止状態の有無として生成した時間ログ、固定支持箇所Ｐに対する掛止状態の有無により生成して受信した時間ログそれぞれを記録する記録器１４と、この記録器１４におけるそれぞれの時間ログを非接触通信で送信させるようにした記録送信器１５とを備え、例えば内蔵させてある所定の乾電池によって駆動されるようにしてある。また、この受信記録部１２は、保護帯１の使用者毎に設定された独自のＩＤその他と共に固定支持箇所Ｐに対する掛止状態、Ｄ環８に対する掛止状態で生成される時間ログを記録するようにしてあり、リーダライター２０に転送されるときに使用者毎に区別されるようにしてある。
【００２４】
また、リーダライター２０は、記録器１４にて記録された固定支持箇所Ｐに対する、あるいはＤ環８に対する掛止状態あるいは非掛止状態であることを示すインダクタンスの変化量の時間ログを、保護帯１の装着者毎に区別して非接触で読み取り、記録することで、例えば高所における各種工事の作業管理者における管理者用パソコン（パーソナルコンピュータ）２５に転送できるようにしてある。尚、この管理者用パソコン２５においては、図４に示すように、保護帯１を装着使用している作業者毎に区別させて、フック４の固定支持箇所Ｐに対して掛止している安全帯３の使用状態、Ｄ環８に対して掛止している安全帯３の不使用状態等の時間帯が記録表示されるようになっており、更にはこれ等の記録に基づく各種の解析、例えば掛止状態の総時間数、作業時間に対する掛止状態・非掛止状態にあることの使用率等の割合、使用頻度その他の演算による各種の統計的処理による結果も表示されるようにしてある。
【００２５】
次にこれの使用の一例を説明すると、作業者における腰部に保護帯本体２を巻回させることで保護帯１を作業者に装着させておき、不使用時では安全帯３のフック４はＤ環８に掛止された状態となっており、受信記録部１２をＯＮ状態にセットしておく。そして、作業者等が例えば高所等の作業現場で、Ｄ環８から取り外されて所定の固定支持箇所Ｐにフック４が掛止されたときの安全帯３の使用時の時間・時間帯、更には移動その他で固定支持箇所Ｐから離脱されて再びＤ環８に掛止されたとき等の不使用時の時間・時間帯等が受信記録部１２に記録保持される。
【００２６】
これらの記録は、例えば１日あるいは１週間、１ヶ月単位でリーダライター２０によって、いわゆる吸い上げられ、所定の管理者用パソコン２５に転送記録されるのであり、この管理者用パソコン２５においての各種解析によって、使用者毎の使用総時間数、使用頻度その他が統計的に表示される。これによって使用者毎のフック４の固定支持箇所Ｐに対して掛止した使用状態、Ｄ環８に対する掛止、非掛止の状況を管理者において把握でき、作業者に安全帯３の使用をアピールし、使用率を向上させるのに役立たせる。
【符号の説明】
【００２７】
１…保護帯                              ２…保護帯本体
３…安全帯                              ４…フック
５…フック支持検知手段                  ６…検知スイッチ
７…送信器                              ８…Ｄ環
９…Ｄ環掛止検知手段
１２…受信記録部                        １３…アンプ回路
１４…記録器                            １５…記録送信器
２０…リーダライター                    ２５…管理者用パソコン
【図１】
0003194445.tif 000003
【図２】
0003194445.tif 000004
【図３】
0003194445.tif 000005
【図４】
0003194445.tif 000006